(57)【要約】【課題】温水分岐ユニット(1)に対する温水ホース(140)(141)(150)(151)やファンコンベクタ(2)の接続部、温水分岐ユニット(1)内の温水の流路部等の各部のシール性の経年劣化を是正し、これにより、耐久性の良好な温水分岐ユニット(1)を提供する。【解決手段】熱源器からの温水が流入する往路用メイン流路(52)と、往路用メイン流路(52)の下流端から分岐して複数の放熱用端末器(2)(14)へ各別に温水供給する複数の往路用分岐流路(53)(54)と、各放熱用端末器(2)(14)から帰還する温水が各別に流入する複数の復路用分岐流路(58)(59)と、復路用分岐流路(58)(59)の下流端の合流点から延び、且つ熱源器(3)に温水を帰還させる復路用メイン流路(59)と、を具備し、前記往路用分岐流路(53)(54)の夫々には、開閉制御可能な電気式開閉弁(55)(56)が設けられていること。【選択図】図２
2007247940.tif 000002
【特許請求の範囲】
【請求項１】
熱源器からの温水が流入する往路用メイン流路と、
前記往路用メイン流路の下流端から分岐して複数の放熱用端末器へ各別に温水供給する複数の往路用分岐流路と、
前記各放熱用端末器から帰還する温水が各別に流入する複数の復路用分岐流路と、
前記復路用分岐流路の下流端の合流点から延び、且つ前記熱源器に温水を帰還させる復路用メイン流路と、を具備し、
前記往路用分岐流路の夫々には、開閉制御可能な電気式開閉弁が設けられている、温水分岐ユニット。
【請求項２】
請求項１に記載の温水分岐ユニットに於いて、
前記温水分岐ユニットは、前記往路用メイン流路、前記往路用分岐流路、前記復路用分岐流路、及び前記復路用メイン流路が形成されたユニット本体と、該ユニット本体を操作する為の操作装置から構成されており、
前記放熱用端末器の少なくとも一つは床暖房用の温水マットであり、
前記操作装置に設けられた床暖房用の操作部が操作されたときは、前記温水マットに温水供給する前記電気式開閉弁を断続的に開閉させる弁制御手段が設けられている、温水分岐ユニット。
【請求項３】
請求項２に記載の温水分岐ユニットに於いて、
前記操作装置は、前記ユニット本体とは別体に構成され且つ前記弁制御手段に対して操作信号を無線通信する遠隔操作装置である、温水分岐ユニット。
【発明の詳細な説明】
【技術分野】
【０００１】
本発明は、熱源器で加熱生成された温水を、温風暖房用のファンコンベクタや床暖房用の温水マット等に分配する温水分岐ユニットに関するものである。
【背景技術】
【０００２】
この種の温水分岐ユニットとして、図５、図６の如き構成のものが知られている（特許文献１参照）。
同図に示される温水分岐ユニット(1)は、ファンコンベクタ(2)の背面に取り付けられるもので、扁平な矩形箱状のケーシング(10)内には、図６の右から左へ向けて温水を流す往き側のパイプ(11)と、これとは逆方向へ温水を流す戻り側のパイプ(12)が平行状態で貫設されている。パイプ(11)(12)の中程には、ファンコンベクタ(2)内の放熱用熱交換器（図示せず）への流路に接続される配管接続部(110)(120)が形成されていると共に、往き側のパイプ(11)の下流端近傍には、手動の流量調節バルブ(13)が配設されている。
【０００３】
図５に示すように、温水マット(14)に繋がる温水ホース(140)(141)は、温水分岐ユニット(1)の流量調節バルブ(13)側に於けるパイプ(11)(12)の端部に接続されており、パイプ(11)(12)の他方の端部には、温水プラグ(15)から延びる温水ホース(150)(151)が接続されている。そして、温水プラグ(15)は、室内の壁面に配設された図示しない温水コンセントに着脱自在に接続されるようになっており、前記温水コンセントに配管された室外の熱源器（図示せず）からの温水が、熱源器内の循環ポンプによって供給されるようになっている。
【０００４】
このものでは、室内の壁面に配設された温水コンセント（図示せず）に温水プラグ(15)を接続して暖房運転を開始させると、上記熱源器で加熱生成された８０℃程度の高温水が前記温水コンセントを介して温水プラグ(15)に供給され、往き側の温水ホース(150)→温水分岐ユニット(1)内のパイプ(11)→配管接続部(110)の経路で温水が流れてファンコンベクタ(2)内の放熱用熱交換器側へ供給される。そして、ファンコンベクタ(2)を通過した温水は、温水分岐ユニット(1)の戻り側の配管接続部(120)→パイプ(12)→外部の温水ホース(151)→温水プラグ(15)の経路で流れ、更に、該温水プラグ(15)が接続された図示しない温水コンセントから室外の熱源器に帰還する。これにより、ファンコンベクタ(2)による暖房が行える。
【０００５】
一方、温水分岐ユニット(1)の往き側のパイプ(11)に接続された温水マット(14)側の温水ホース(140)に流入した温水は、温水マット(14)内→戻り側の温水ホース(141)→温水分岐ユニット(1)内のパイプ(12)→外部の温水ホース(151)→温水プラグ(15)と繋がる経路で流動し、これにより、温水マット(14)による床暖房が行われる。このとき、熱源器から供給される温水は、前述のように８０℃程度の高温に設定されているから、温水マット(14)に供給される温水の流量を流量調節バルブ(13)で絞ることにより、温水マット(14)が高温になるのを防止できるようになっている。
【特許文献１】特開平１１−１４０８０号公報
【発明の開示】
【発明が解決しようとする課題】
【０００６】
しかしながら、上記従来のものでは、温水分岐ユニット(1)に対する温水ホース(140)(141)(150)(151)やファンコンベクタ(2)の接続部、温水分岐ユニット(1)内の流路、更には、温水プラグ(15)と温水コンセントの接続部等のシール性が経年劣化し易く、水漏れが生じ易いという問題があった。
【０００７】
上記問題点について更に詳述する。
前述のように、上記従来のものでは、 流量調節バルブ(13)を絞ることによって温水マット(14)へ供給される高温水（８０℃程度）の流量を制限し、これにより、温水マット(14)を適正温度に維持する。従って、ファンコンベクタ(2)内の温水流路に配設された開閉弁（図示せず）を閉じて温風暖房を停止させ、この状態で、温水マット(14)による床暖房のみを行うと、ファンコンベクタ(2)に配設された前記開閉弁を閉じた分だけ流路抵抗が増加する上に、流量調節バルブ(13)が絞り状態にあることから、一層流路抵抗が高くなる。従って、熱源器内に設けられた温水供給用の循環ポンプから、大きな水圧が通水状態にある流路部に作用する。このことから、上記従来のものでは、温水分岐ユニット(1)に対する温水ホース(140)(141)(150)(151)やファンコンベクタ(2)の接続部、温水分岐ユニット(1)内の流路、更には、温水プラグ(15)と室内壁面の温水コンセントの接続部等に過大な水圧が作用してそのシール性が経年劣化し易く、水漏れが生じ易くなるのである。
【０００８】
本発明は、かかる点に鑑みて成されたもので、温水分岐ユニット(1)に対する温水ホース(140)(141)(150)(151)やファンコンベクタ(2)の接続部、温水分岐ユニット(1)内の温水の流路部等の各部のシール性の経年劣化を是正し、これにより、耐久性の良好な温水分岐ユニット(1)を提供することを課題とする。
【課題を解決するための手段】
【０００９】
［請求項１に係る発明］
上記課題を解決する為の請求項１に係る発明の解決手段は、
『熱源器からの温水が流入する往路用メイン流路と、
前記往路用メイン流路の下流端から分岐して複数の放熱用端末器へ各別に温水供給する複数の往路用分岐流路と、
前記各放熱用端末器から帰還する温水が各別に流入する複数の復路用分岐流路と、
前記復路用分岐流路の下流端の合流点から延び、且つ前記熱源器に温水を帰還させる復路用メイン流路と、を具備し、
前記往路用分岐流路の夫々には、開閉制御可能な電気式開閉弁が設けられている』ことである。
本発明の温水分岐ユニットでは、往路用分岐流路の夫々には開閉制御可能な電気式開閉弁が設けられている。
従って、例えば、多量の高温水を連続供給すると高温に成り過ぎる床暖房用の放熱用端末器（具体的には、温水マット）が、前記往路用分岐流路及び復路用分岐流路に接続される場合には、前記床暖房用の放熱用端末器が接続される往路用分岐流路に設けられた電気式開閉弁を開閉制御させることができる。
【００１０】
よって、接続された温風暖房用のファンコンベクタや床暖房用の放熱用端末器のうち、床暖房用の放熱用端末器のみを使用する場合は、これに温水供給する電気式開閉弁を閉じた時に熱源器内の循環ポンプを停止させれば、各流路にポンプ圧が作用しない。
【００１１】
よって、既述従来のように流量調節バルブ(13)を絞ることによって温水マット(14)へ供給される高温水（８０℃程度）の流量を絞って温度調節する場合に比べ、温水分岐ユニットと放熱用端末器を繋ぐ温水ホースの接続部等に対して、シール性劣化の原因となる大きなポンプ圧が作用しない。
【００１２】
［請求項２に係る発明］
請求項１に係る発明に於いて、
『前記温水分岐ユニットは、前記往路用メイン流路、前記往路用分岐流路、前記復路用分岐流路、及び前記復路用メイン流路が形成されたユニット本体と、該ユニット本体を操作する為の操作装置から構成されており、
前記放熱用端末器の少なくとも一つは床暖房用の温水マットであり、
前記操作装置に設けられた床暖房用の操作部が操作されたときは、前記温水マットに温水供給する前記電気式開閉弁を断続的に開閉させる弁制御手段が設けられている』ものとすることができる。
このものでは、操作装置に設けられた床暖房用の操作部を操作すると、床暖房用の温水マットに温水供給する電気式開閉弁が、弁制御手段によって断続開閉される。従って、８０℃程度の高温水を前記温水マットに断続供給して適正温度に設定することができる。
【００１３】
［請求項３に係る発明］
請求項２に係る発明に於いて、
『前記操作装置は、前記ユニット本体とは別体に構成され且つ前記弁制御手段に対して操作信号を無線通信する遠隔操作装置である』ものとすれば、ユニット本体の設置場所から離れた任意の場所から、ユニット本体を操作装置にて遠隔操作することができる。従って、前記操作時にユニット本体の設置部まで移動する必要がなく、使い勝手が良い。
【発明の効果】
【００１４】
本発明は次の特有の効果を有する。
既述従来のように流量調節バルブ(13)を絞ることによって温水マット(14)への高温水（８０℃程度）の流量を絞って温度調節する場合に比べ、温水分岐ユニットと放熱用端末器を繋ぐ温水ホースの接続部等に対して、シール性劣化の原因となる大きなポンプ圧が作用しない。従って、前記温水ホースの接続部や、温水分岐ユニット内の温水の流路部等の各部のシール性の経年劣化が是正され、耐久性の良好な温水分岐ユニットを提供することができる。
【００１５】
請求項３に係る発明では、既述したように、放熱用端末器の操作時にユニット本体の設置部まで移動する必要がないから、使い勝手の良好な温水分岐ユニットが提供できる。
【発明を実施するための最良の形態】
【００１６】
以下に、本発明を実施するための最良の形態について添付図面を参照しながら説明する。
図１は、本実施の形態に係る温水分岐ユニット(1)を用いた温水暖房システムの全体構成を示す斜視図であり、温水分岐ユニット(1)は、ユニット本体(19)とこれを操作する遠隔操作装置(4)から構成されている。又、室外に配設された熱源器(3)は、外部配管(30)(31)を介して建物の壁面(33)に配設された温水コンセント(32)に繋がっていると共に、該温水コンセント(32)に接続される温水プラグ(15)から温水ホース(150)(151)を介して本実施の形態に係るユニット本体(19)に接続されるようになっている。
【００１７】
又、ユニット本体(19)の先端に凹設されたプラグ接続口(16)には、ファンコンベクタ(2)や温水マット(14)用の温水プラグ(20)(18)が着脱自在に接続されると共に、ユニット本体(19)は遠隔操作装置(4)によって遠隔操作されるようになっている。以下、各部の詳細を説明する。
【００１８】
［熱源器(3)］
図１に示すように、熱源器(3)にはガス弁(35)からガス供給されるガスバーナ(34)が設けられていると共に、ガスバーナ(34)で加熱される熱交換器(36)には内部配管(37)(38)が接続されている。このうち、一方の内部配管(38)には、循環ポンプ(P)が配設されていると共に、該循環ポンプ(P)やガス弁(35)等を制御する制御装置(39)が熱源器(3)に内蔵されている。
【００１９】
［温水コンセント(32)］
上記熱源器(3)に配設された内部配管(37)(38)の先端に接続された外部配管(30)(31)に繋がる温水コンセント(32)は、既述のように室内の壁面(33)に配設されていると共に、温水プラグ(15)の差込筒(152)(153)を挿入接続する為のプラグ差込孔(321)(322)が前面のプラグ接続口(320)内に開放している。
【００２０】
[温水プラグ(15)]
上記温水コンセント(32)に接続される温水プラグ(15)には、図１，図２に示すように、前述した差込筒(152)(153)とユニット本体(19)を繋ぐ温水ホース(150)(151)が接続されている。
【００２１】
［温水分岐ユニット(1)］
温水分岐ユニット(1)は、既述したように、ユニット本体(19)と遠隔操作装置(4)から構成されている。
【００２２】
《ユニット本体(19)》
図２に示すように、温水プラグ(15)から引き出された温水ホース(150)は、ユニット本体(19)の背面に突設された温水流入筒(50)に接続されている一方、温水プラグ(15)から引き出された他方の温水ホース(151)は、ユニット本体(19)の背面に突設された温水吐出筒(51)に接続されている。
【００２３】
ユニット本体(19)内には、温水流入筒(50)から延びる往路用メイン流路(52)と、その下流端から分岐する二本の往路用分岐流路(53)(54)が形成されており、往路用分岐流路(53)(54)には既述発明特定事項たる「電気式開閉弁」に対応する熱動弁(55)(56)が配設されている。
【００２４】
熱動弁(55)(56)は同一構造を有しているので、一方の熱動弁(55)のみの構造を図４に従って説明する。熱動弁(55)は、リード線(a)からの電流で発熱する電気ヒータ(b)で加熱膨張されるワックスエレメント(c)を具備しており、ワックスエレメント(c)で押し出される進退ロッド(d)で弁軸(e)が進出されるようになっている。そして、弁軸(e)の進出に伴って先端の弁体(f)がバネ(g)の付勢力に抗して弁座口(h)部分（閉弁位置）まで移動されると、往路用分岐流路(53)が遮断される。一方、往路用分岐流路(53)を非遮断状態に復帰させるときは、リード線(a)への電気供給を遮断する。すると、電気ヒータ(b)が非発熱状態になり、ワックスエレメント(c)が熱収縮するから、弁体(f)がバネ(g)の付勢力で開弁位置に復帰移動され、これにより、往路用分岐流路(53)が非遮断状態に復帰する。
【００２５】
又、ユニット本体(19)内には、図２に示すように、上記往路用分岐流路(53)(54)に夫々対応する二本の復路用分岐流路(58)(59)と、その下流端の合流点(49)から温水吐出筒(51)に繋がる復路用メイン流路(57)が形成されている。
【００２６】
図２に現れる一方の復路用分岐流路(58)及び往路用分岐流路(53)の先端のプラグ差込孔(580)(530)は、図１に示すように、ユニット本体(19)の先端のプラグ接続口(16)部分に開放している。又、図２に現れる他方の復路用分岐流路(59)及び往路用分岐流路(54)の先端のプラグ接続口(590)(540)は、図１に示すように、ユニット本体(19)の先端のプラグ接続口(17)部分に開放している。
【００２７】
《遠隔操作装置(4)》
図１に示すように、遠隔操作装置(4)には、ファンコンベクタ(2)や温水マット(14)の運転状態等を表示する表示部(46)が設けられていると共に、第１，第２低温暖房キー(40)(41)、高温暖房キー(42)、室温センサ(45)、及び温度調節部(44)が設けられている。温度調節部(44)は、昇温キー(440)と降温キー(441)から構成されていると共に、室温センサ(45)は、後述のファンコンベクタ(2)を運転させる場合に室温を監視する機能を有してる。
【００２８】
[ファンコンベクタ(2)及び温水マット(14)]
図１，図２に示すように、ファンコンベクタ(2)から引き出された温水ホース(200)(201)の先端には温水プラグ(20)が取り付けられていると共に、温水ホース(200)(201)に各別に連通する差込筒(203)(204)は、ユニット本体(19)の先端に凹設されたプラグ接続口(16)内のプラグ差込孔(530)(580)に挿入接続されるようになっている。
【００２９】
図３に示すように、ファンコンベクタ(2)内には温水ホース(200)(201)に繋がる放熱用の熱交換器(21)が設けられていると共に、熱交換器(21)への温水の供給・遮断を行う熱動弁(23)が設けられている。又、ファンコンベクタ(2)内には、熱交換器(21)の熱を室内に放出する放熱ファン(24)が設けられていると共に、操作部には、図１に示す温度設定スイッチ(26)及び室温監視用の温度センサ(28)と高温暖房スイッチ(25)（図１,図３参照）が設けられている。
【００３０】
図１，図２に示すように、温水マット(14)から引き出された温水ホース(140)(141)の先端には温水プラグ(18)が取り付けられていると共に、温水ホース(140)(141)に各別に連通する差込筒(180)(181)は、ユニット本体(19)の先端に凹設されたプラグ接続口(17)内のプラグ差込孔(540)(590)に挿入接続されるようになっている。又、温水マット(14)には温水ホース(140)(141)と連通する蛇行状の温水パイプ(142)が埋設されている。
【００３１】
［制御回路］
図３は、上記温水暖房システムの制御回路の一例を示す図である。
遠隔操作装置(4)に設けられた温度調節部(44)の出力は、Ｈ信号とＬ信号を交互に出力する発振回路(60)（ユニット本体(19)内に設けられている）に無線通信により印加されており、昇温キー(440)を操作すると発振回路(60)からのＬ信号に対するＨ信号の比率（デューティ比）が大きくなり、これとは逆に、降温キー(441)を操作すると前記デューティ比が小さくなる。
【００３２】
次に、遠隔操作装置(4)に設けられた第１低温暖房キー(40)の出力は、無線通信によってユニット本体(19)内の第１トグルフリップフロップ（以下、「第１ＴＦＦ」と略記する）(63)に印加されており、第１ＴＦＦ(63)と前記発振回路(60)の出力は第２ＡＮＤ回路(66)に印加されている。そして、第２ＡＮＤ回路(66)の信号によって温水マット(14)用の熱動弁(56)が開弁されるようになっている。
【００３３】
又、遠隔操作装置(4)に設けられた第２低温暖房キー(41)の出力は、無線通信によってユニット本体(19)内の第２トグルフリップフロップ（以下、「第２ＴＦＦ」と略記する）(64)に印加されており、第２ＴＦＦ(64)と前記発振回路(60)の出力は第３ＡＮＤ回路(67)に印加されている。
【００３４】
遠隔操作装置(4)に設けられた高温暖房キー(42)の出力は、無線通信によってユニット本体(19)内の第１ＯＲ回路(68)に印加されていると共に、第１ＯＲ回路(68)の出力は第３トグルフリップフロップ（以下、「第３ＴＦＦ」と略記する）第３ＴＦＦ(65)に印加されている。そして、第３ＴＦＦ(65)と第３ＡＮＤ回路(67)の出力のＯＲ信号を出す第２ＯＲ回路(69)によって、ファンコンベクタ(2)用の熱動弁(55)が開弁されるようになっている。
【００３５】
又、ファンコンベクタ(2)に設けられた高温暖房スイッチ(25)の出力は、第１ＯＲ回路(68)を介して第３ＴＦＦ(65)に印加されており、第３ＴＦＦ(65)の出力によって、ファンコンベクタ(2)内の熱動弁(23)が開弁されると共に放熱ファン(24)が回転される。尚、熱動弁(23)は、図４に示す熱動弁(55)と同様に構成されている。
【００３６】
又、ユニット本体(19)に設けられた既述第２ＡＮＤ回路(66)と第２ＯＲ回路(69)の出力が第３ＯＲ回路(70)を介して熱源器(3)内の制御装置(39)に印加されているときには、ガスバーナ(34)用のガス弁(29)が開弁してガスバーナ(34)が燃焼されると共に循環ポンプ(P)が作動されるようになっている。
【００３７】
[動作の実際]
次に、上記温水暖房システムの動作を説明する。
遠隔操作装置(4)に設けられた第１低温暖房キー(40)の投入によって床暖房操作がされると、第１ＴＦＦ(63)からのＨ信号と発振回路(60)のＨ信号のＡＮＤ信号が第２ＡＮＤ回路(66)から断続的に出力され、第２ＡＮＤ回路(66)からのＨ信号に同期して熱動弁(56)が断続的に開閉する。従って、本実施の形態では、発振回路(60)と第１ＴＦＦ(63)と第２ＡＮＤ回路(66)の組み合わせが既述請求項２の発明特定事項たる「弁制御手段」に対応する。尚、温度調節部(44)の操作によって発振回路(60)から出力されるＬ信号に対するＨ信号の比率（デューティ比）を大きくすると、熱動弁(56)の開弁時間は閉弁時間に対して長くなり、これにより、床暖房温度が高くなる。
【００３８】
又、第２ＡＮＤ回路(66)から断続的なＨ信号が出力されると、該信号が第３ＯＲ回路(70)を介して熱源器(3)内の制御装置(39)に印加される。従って、後述するファンコンベクタ(2)が停止しているとき（第３ＴＦＦ(65)がＬ信号を出力しているとき）は、上記断続的なＨ信号に同期して、熱源器(3)のガスバーナ(34)が燃焼すると共に循環ポンプ(P)が作動する。
【００３９】
すると、ガスバーナ(34)の燃焼によって熱交換器(36)で加熱生成される温水は、熱交換器(36)→外部配管(30)→ユニット本体(19)内の往路用メイン流路(52)→往路用分岐流路(54)→熱動弁(56)→温水マット(14)用の往き側温水ホース(140)→温水パイプ(142)→戻り側温水ホース(141)→ユニット本体(19)内の復路用分岐流路(59)→復路用メイン流路(57)→外部配管(31)→循環ポンプ(P)→熱交換器(36)と繋がる経路で循環し、これにより、温水マット(14)による床暖房が行われる。
【００４０】
そして、ファンコンベクタ(2)が停止状態（第３ＴＦＦ(65)がＬ信号を出力している状態）にあり且つ、床暖房が行われている状態では、上記のように熱動弁(56)が断続的に開閉する。又、熱動弁(56)の断続開閉動作と同期して循環ポンプ(P)がＯＮ・ＯＦＦすると共にガスバーナ(34)が燃焼・消火動作を繰り返す。即ち、循環ポンプ(P)が作動しているときは熱動弁(56)が全開状態に維持される一方、循環ポンプ(P)が停止しているときに熱動弁(56)が全閉状態に維持される。従って、流量調節バルブ(13)を絞った状態で循環ポンプ(P)を継続動作させる既述従来のもののように、ユニット本体(19)内やこれと温水ホース(140)(141)(150)(151)の接続部、ユニット本体(19)とファンコンベクタ(2)の配管接続部、更には、温水プラグ(15)と温水コンセント(32)の接続部等のシール部に過剰水圧が作用しない。よって、これらの部位のシール性が低下し難くなって耐久性が向上する。
尚、上記床暖房動作を停止させるときは、第１低温暖房キー(40)を再投入し、これにより、第１ＴＦＦ(63)からＬ信号が出力された状態に復帰させる。
【００４１】
次に、ファンコンベクタ(2)の暖房動作を説明する。
遠隔操作装置(4)の高温暖房キー(42)又はファンコンベクタ(2)の高温暖房スイッチ(25)が操作されると、その操作信号がユニット本体(19)内の第１ＯＲ回路(68)を介して第３ＴＦＦ(65)に印加され、これにより、第２ＯＲ回路(69)及び第３ＯＲ回路(70)が継続的にＨ信号を出力して熱源器(3)のガスバーナ(34)が継続燃焼し、循環ポンプ(P)が継続動作する。
【００４２】
一方、第３ＴＦＦ(65)の出力により、ファンコンベクタ(2)内の熱動弁(23)が開弁すると共に放熱ファン(24)が作動する。すると、熱源器(3)の熱交換器(36)で加熱生成された温水は、該熱交換器(36)→外部配管(30)→ユニット本体(19)内の往路用メイン流路(52)→往路用分岐流路(53)→熱動弁(55)→ファンコンベクタ(2)への往き側温水ホース(200)→熱動弁(23)→熱交換器(21)→戻り側温水ホース(201)→ユニット本体(19)内の復路用分岐流路(58)→復路用メイン流路(57)→外部配管(31)→熱源器(3)内の循環ポンプ(P)→熱交換器(36)と繋がる経路で循環し、これにより、室内暖房が行われる。
【００４３】
又、ファンコンベクタ(2)と温水マット(14)が同時に使用されているときは、第３ＴＦＦ(65)からの継続的なＨ信号が第２ＯＲ回路(69)及び第３ＯＲ回路(70)を介して熱源器(3)内の制御回路(39)に印加され、これにより、熱源器(3)内の循環ポンプ(P)が継続動作すると共に、ガスバーナ(34)も継続燃焼する。この場合、熱源器(3)の熱交換器(36)で加熱生成された温水は、ユニット本体(19)内の往路用メイン流路(52)から往路用分岐流路(53)(54)に分岐供給され、これにより、温水マット(14)とファンコンベクタ(2)に並行して温水供給される。従って、ファンコンベクタ(2)を通過することにより温度低下した後の温水が温水マット(14)に流入する回路構成と相違し、温水マット(14)の暖房能力が低下する不都合がない。
【００４４】
次に、ユニット本体(19)の両プラグ接続口(16)(17)に温水マット(14)(14)を接続した場合の暖房動作を説明する。
図３の第１低温暖房キー(40)を操作した場合の制御動作は既述したので省略する。
【００４５】
次に、第２低温暖房キー(41)が操作されると、第２ＴＦＦ(64)がＨ信号を出力すると共に、該Ｈ信号と発振回路(60)のＨ信号のＡＮＤ信号が第３ＡＮＤ回路(67)から第２ＯＲ回路(69)及び第３ＯＲ回路(70)を介して熱動弁(55)に印加され、これにより、熱動弁(55)が上記ＡＮＤ信号に同期して断続的に開閉する。従って、本実施の形態では、発振回路(60)と第２ＴＦＦ(64)と第３ＡＮＤ回路(67)の組み合わせは、既述請求項２の発明特定事項たる「弁制御手段」に対応している。
【００４６】
又、第３ＯＲ回路(70)の出力により、熱源器(3)内のガスバーナ(34)が燃焼すると共に循環ポンプ(P)が断続作動し、これにより、熱交換器(36)で加熱生成された温水が、各温水マット(14)(14)に断続的に供給されて床暖房が行われる。
【００４７】
［その他］
１．上記実施の形態では、往路用分岐流路(53)(54)及び復路用分岐流路(58)(59)を、夫々、二本ずつ形成したが、これらを三本以上ずつ形成してもよい。
２．上記実施の形態では、床暖房やファンコンベクタ(2)による温風暖房を行わせるための遠隔操作装置(4)をユニット本体(19)と別体に構成したが、前記床暖房等を行わせるための操作装置を、ユニット本体(19)と一体形成してもよい。
【図面の簡単な説明】
【００４８】
【図１】本発明の実施の形態に係るユニット本体(19)を用いた温水暖房システムの概略構成の斜視図
【図２】図１の温水回路図
【図３】図１の制御回路図
【図４】熱動弁(55)の断面図
【図５】従来例の説明図
【図６】従来例の説明図
【符号の説明】
【００４９】
(1)・・・温水分岐ユニット
(3)・・・熱源器
(4)・・・遠隔操作装置
(14)・・・温水マット
(19)・・・ユニット本体
(52)・・・往路用メイン流路
(53)(54)・・・往路用分岐流路
(57)・・・復路用メイン流路
(58)(59)・・・復路用分岐流路
(55)(56)・・・熱動弁
【図１】
2007247940.tif 000003
【図２】
2007247940.tif 000004
【図３】
2007247940.tif 000005
【図４】
2007247940.tif 000006
【図５】
2007247940.tif 000007
【図６】
2007247940.tif 000008